(57)【要約】【課題】任意のリアクタンス成分をシミュレートできるようにする。【解決手段】電子負荷装置１１０は、ユーザ・インタフェース１４０を介して、ユーザから待ち時間値を受ける。待ち時間値に基いて、入力信号の１つの可変量が検出される時間と、入力信号の別の可変量が新しい値に操作される時間との間に遅延時間が生成され、この生成遅延時間に基づいて、電子負荷装置でリアクタンス成分をシミュレートする。１例では、生成遅延時間の後、被操作可変量をステップ状に変化させて容量性又は誘導性要素を近似的に生成する。別の例では、任意波形発生装置を用いて、生成遅延時間中に被操作可変量に傾斜変化を起こさせ、リアクタンス成分をより正確にシミュレートする。【選択図】図１
2013036998.tif 000002
【特許請求の範囲】
【請求項１】
電子負荷装置に可変リアクタンス負荷機能を与える方法であって、
上記電子負荷装置のユーザ・インタフェースを介して待ち時間値を受けることと、
上記電子負荷装置の１つ以上の入力端子で入力信号を受けることと、
上記入力信号の電圧を検出することと、
検出した上記電圧に応じて、電力消費素子を用いて上記入力信号の電流を第１電流値から第２電流値に調整することと、
上記ユーザ・インタフェースを介して入力された上記待ち時間値に基いて、上記入力信号の上記電圧が検出される時間と、上記電力消費素子が上記電流を上記第２電流値に調整する時間との間に遅延時間を生成すること
とを具える電子負荷装置に可変リアクタンス負荷機能を与える方法。
【請求項２】
電子負荷装置に可変リアクタンス負荷機能を与える方法であって、
上記電子負荷装置のユーザ・インタフェースを介して待ち時間値を受けることと、
上記電子負荷装置の１つ以上の入力端子で入力信号を受けることと、
上記入力信号の電流を検出することと、
検出した上記電流に応じて、電力消費素子を用いて上記入力信号の電圧を第１電圧値から第２電圧値に調整することと、
上記ユーザ・インタフェースを介して入力された上記待ち時間値に基いて、上記入力信号の上記電流が検出される時間と、上記電力消費素子が上記電圧を上記第２電圧に調整する時間との間に遅延時間を生成すること
とを具える電子負荷装置に可変リアクタンス負荷機能を与える方法。
【請求項３】
入力信号を受ける１つ以上の入力端子と、
待ち時間値を受けるように構成されたユーザ・インタフェースと、
上記入力信号の第１特性を検出するよう構成される第１特性調整部と、
上記入力信号の第２特性を検出するよう構成される第２特性調整部と、
上記入力信号の上記第１及び第２特性の一方を、他方の特性に基いて調整するよう構成される電力消費素子と、
該電力消費素子に結合される演算デバイスとを具え、
該演算デバイスが、上記ユーザ・インタフェースを介して入力された上記待ち時間値に基いて、上記電力消費素子に遅延時間を生成するよう構成されるリアクタンス成分シミュレーション・ロジックを有することを特徴とする電子負荷装置。
【発明の詳細な説明】
【技術分野】
【０００１】
本発明は、電子負荷装置に関し、特に、電子負荷装置と、電子負荷装置に可変リアクタンス負荷機能を与える方法に関する。
【背景技術】
【０００２】
電子負荷装置は、特に、電源、電池、太陽電池セル、携帯電話、通信システムなどの回路やデバイスのような電気又は電子装置の試験をするなど、多様な産業で使われている。電子負荷装置は、伝統的なオームの法則に従う負荷抵抗の代わりに、電子回路に負荷を与える動作をシミュレートする装置である。電流源とは対照的に、電子負荷装置は伝統的に電流シンクとして使われている。電子負荷装置は、一般に電気エネルギーを消費し、熱のような、他の形のエネルギーに変換する。
【０００３】
電子負荷装置の中には、定電流モード、定電圧モード、定電力モード又は定抵抗モードのような、異なる動作モードを提供するものがある。こうした電子負荷装置の１つに、菊水電子工業株式会社製造によるＰＬＺ−４Ｗシリーズ電子負荷装置がある（http://www.kikusui.co.jp/catalog/?model=plz４w）。例えば、電子負荷装置は、ユーザが設定する抵抗値を受けて定抵抗モードで動作し、この場合、回路中の電圧又は電流が検出されて、ユーザが指定した抵抗値が維持されるように、電流又は電圧を夫々調整できる。言い換えると、もし電子負荷装置で電圧が検出されると、電子負荷装置における抵抗値が一定という形を維持するように、電子負荷装置が電流を操作できる。同様に、もし電子負荷装置で電流が検出されると、電子負荷装置内の抵抗値が一定という形を維持するように、電子負荷装置が電圧を操作できる。
【先行技術文献】
【特許文献】
【０００４】
【特許文献１】特開平９−３４５６３号公報
【発明の概要】
【発明が解決しようとする課題】
【０００５】
定抵抗モードでは、制御可変量を検出する時間と、被制御可変量を操作（drive：駆動）する時間との間にわずかな遅延が生じる。この遅延は、通常、ナノ秒又はマイクロ秒のオーダーであり、本質的に、被試験信号を検出及び制御する回路の処理時間又は伝播時間に依存している。こうした遅延が原因で、電流を測定して電圧を制御するか、又は、電圧を測定して電流を制御するかによって、それぞれわずかに容量性に見えるか、又は、わずかに誘導性に見えるリアクタンス成分（reactive component）を負荷装置に生じさせる。こうした遅延は、一部では知られているが、業界では明確にはなっておらず、一般には、システムの問題と考えられている。
【０００６】
負荷装置のリアクタンス成分をモデル化するために、伝播遅延を制御できる電子負荷装置が望ましい。よって、電子負荷装置に可変リアクタンス負荷（variable reactive load）機能を提供する改善された方法及び装置が必要とされている。
【０００７】
本発明の概念１は、電子負荷装置に可変リアクタンス負荷機能を与える方法であって、
上記電子負荷装置のユーザ・インタフェースを介して待ち時間値を受けることと、
上記電子負荷装置の１つ以上の入力端子で入力信号を受けることと、
上記入力信号の電圧を検出することと、
検出した上記電圧に応じて、電力消費素子を用いて上記入力信号の電流を第１電流値から第２電流値に調整することと、
上記ユーザ・インタフェースを介して入力された上記待ち時間値に基いて、上記入力信号の上記電圧が検出される時間と、上記電力消費素子が上記電流を上記第２電流値に調整する時間との間に遅延時間を生成すること
とを具えている。
【０００８】
本発明の概念２は、概念１の方法であって、生成された上記遅延時間に応じて上記電子負荷装置のリアクタンス成分をシミュレートすることを更に具えている。
【０００９】
本発明の概念３は、概念２の方法であって、上記リアクタンス成分が誘導性であることを特徴としている。
【００１０】
本発明の概念４は、概念１の方法であって、上記遅延時間を生成することにおいて、上記第１及び第２電流値間で時間対電流波形を傾斜のある形状にすることを更に有していることを特徴としている。
【００１１】
本発明の概念５は、概念４の方法であって、上記時間対電流波形を傾斜のある形状にすることにおいて、任意波形発生装置を用いて上記時間対電流波形を形成することを更に有することを特徴としている。
【００１２】
本発明の概念６は、電子負荷装置に可変リアクタンス負荷機能を与える方法であって、
上記電子負荷装置のユーザ・インタフェースを介して待ち時間値を受けることと、
上記電子負荷装置の１つ以上の入力端子で入力信号を受けることと、
上記入力信号の電流を検出することと、
検出した上記電流に応じて、電力消費素子を用いて上記入力信号の電圧を第１電圧値から第２電圧値に調整することと、
上記ユーザ・インタフェースを介して入力された上記待ち時間値に基いて、上記入力信号の上記電流が検出される時間と、上記電力消費素子が上記電圧を上記第２電圧に調整する時間との間に遅延時間を生成すること
とを具えている。
【００１３】
本発明の概念７は、概念６の方法であって、生成された上記遅延時間に応じて上記電子負荷装置のリアクタンス成分をシミュレートすることを更に具えている。
【００１４】
本発明の概念８は、概念７の方法であって、上記リアクタンス成分が容量性であることを特徴としている。
【００１５】
本発明の概念９は、概念６の方法であって、上記遅延時間を生成することにおいて、上記第１及び第２電圧値間で時間対電圧波形を傾斜のある形状にすることを更に有していることを特徴としている。
【００１６】
本発明の概念１０は、概念９の方法であって、上記時間対電圧波形を傾斜のある形状にすることにおいて、任意波形発生装置を用いて上記時間対電圧波形を形成することを更に有することを特徴としている。
【００１７】
本発明の概念１１は、電子負荷装置であって
入力信号を受ける１つ以上の入力端子と、
待ち時間値を受けるように構成されたユーザ・インタフェースと、
上記入力信号の第１特性を検出するよう構成される第１特性調整部と、
上記入力信号の第２特性を検出するよう構成される第２特性調整部と、
上記入力信号の上記第１及び第２特性の一方を、他方の特性に基いて調整するよう構成される電力消費素子と、
該電力消費素子に結合される演算デバイスとを具え、
該演算デバイスが、上記ユーザ・インタフェースを介して入力された上記待ち時間値に基いて、上記電力消費素子に遅延時間を生成するよう構成されるリアクタンス成分シミュレーション・ロジックを有することを特徴としている。
【００１８】
本発明の概念１２は、概念１１の上記電子負荷装置であって、上記リアクタンス成分シミュレーション・ロジックが、上記入力信号の上記特性の一方が検出される時間と、上記電力消費素子が上記特性の他方の調整を完了する時間との間に遅延時間を生成させるよう構成されることで、上記電子負荷装置でリアクタンス成分をシミュレートすることを特徴としている。
【００１９】
本発明の概念１３は、概念１１の上記電子負荷装置であって、
上記第１特性調整部は、電流調整部であり、
上記第２特性調整部は、電圧調整部であり、
上記第１特性は、上記入力信号の電流値であり、
上記第２特性は、上記入力信号の電圧値であることを特徴としている。
【００２０】
本発明の概念１４は、概念１３の上記電子負荷装置であって、
上記入力信号の上記電圧を検出する時間と、上記電力消費素子が上記入力信号の上記電流を調整する時間との間に遅延時間を生成させるように上記リアクタンス成分シミュレーション・ロジックを構成することによって、上記電子負荷装置がリアクタンス成分をシミュレートすることを特徴としている。
【００２１】
本発明の概念１５は、概念１４の上記電子負荷装置であって、上記リアクタンス成分が誘導性であることを特徴としている。
【００２２】
本発明の概念１６は、概念１３の上記電子負荷装置であって、
上記入力信号の上記電流を検出する時間と、上記電力消費素子が上記入力信号の上記電圧を調整する時間との間に遅延時間を生成させるように上記リアクタンス成分シミュレーション・ロジックを構成することによって、上記電子負荷装置がリアクタンス成分をシミュレートすることを特徴としている。
【００２３】
本発明の概念１７は、概念１６の上記電子負荷装置であって、上記リアクタンス成分が容量性であることを特徴としている。
【００２４】
本発明の目的、効果、新規な点は、特許請求の範囲及び図面と合わせて以下の詳細な説明を読むことによって、自ずと明らかになろう。
【図面の簡単な説明】
【００２５】
【図１】図１は、本発明の実施形態の例によるリアクタンス成分シミュレーション・ロジックを含む電子負荷装置のハイレベル・ブロック図を示す。
【図２】図２は、リアクタンス成分シミュレーション・ロジックを含む図１の電子負荷装置内の回路のブロック図を示す。
【図３】図３は、本発明の実施形態の例による可変量の検出及び操作のタイミング・チャートを示す。
【図４】図４は、本発明の実施形態の別の例による可変量の操作のタイミング・チャートを示す。
【図５】図５は、本発明の実施形態の例による電子負荷装置に可変リアクタンス負荷機能を与える技術の例のフローチャートを示す。
【発明を実施するための形態】
【００２６】
本発明の実施形態には、負荷装置中のリアクタンス成分を制御し、モデル化する可変リアクタンス負荷の機能及び技術を有する電子負荷装置が含まれる。この電子負荷装置には、ユーザ・インタフェースがあり、これを通してユーザから持ち時間値（Latency Value）を受ける。入力信号の１つの可変量が検出される時間と、入力信号の別の可変量が新しい値へと操作（drive：駆動）される時間との間の遅延時間は、この待ち時間に基づいて生成され、これによって、生成された遅延時間に基づき、電子負荷装置でリアクタンス成分をシミュレートする。
【００２７】
１つの実施形態例では、容量性又は誘導性素子を近似的に生成するために、遅延を生成した後に、操作される可変量をステップ状に変化させても良い。他の実施形態の例では、例えば、任意波形発生装置を用いて、遅延時間の間、操作される可変量を傾斜させて変化させても良い。言い換えると、容量性フィルタ又は誘導性フィルタの一方又は両方を入力信号に適用しても良い。本発明のこうした特徴や他の特徴、そして、実施形態を、図を参照しながら以下で説明する。
【００２８】
図１は、本発明の実施形態の例による電子負荷装置１１０及び被測定デバイス（ＤＵＴ）１０５ハイレベル・ブロック図を示す。ここで「電子負荷装置」の用語は、一般に、電子回路その他の電気回路における負荷をシミュレートする装置を指すと理解すべきであり、その用語は、例えば、疑似（dummy）負荷、疑似アンテナ、無線周波数（ＲＦ）終端デバイス、シミュレートした抵抗バンクなどを含む広い意味に解釈すべきである。
【００２９】
実施形態によっては、電子負荷装置１１０には、電子負荷回路１１５とユーザ・インタフェース１４０がある。電子負荷回路１１５には、アナロク回路やデジタル回路があり、これらは、ファームウェアやソフトウェア、又は、これらの組合せによって制御できる。ユーザ・インタフェース１４０には、表示装置と、押しボタン、タッチ・スクリーン、キー操作部などを含む１つ以上の入力センサを設けても良い。
【００３０】
被測定デバイス（ＤＵＴ）１０５は、ライン１２５及び１３０を通して電子負荷装置１１０に接続され、被試験信号を電子負荷装置１１０に送ることができる。電子負荷装置１１０は、直流電源１４５からの直流（ＤＣ）信号、交流電源１５０からの交流（ＡＣ）信号のほか、アナログ信号やデジタル信号を含むＤＵＴ１０５で生成される種々の形式の電気信号を受けるとしても良い。
【００３１】
エンジニアや技術者などの電子負荷装置のユーザは、ユーザ・インタフェース１４０を介して待ち時間値を入力できる。この待ち時間値は、ユーザがシミュレートしたい負荷のリアクタンス成分の程度に応じて又はリアクタンス負荷及び抵抗負荷の組合せの程度に応じて、ナノ秒から任意の秒数までの範囲にできる。
【００３２】
入力された待ち時間値に応答して、入力信号の電気特性（例えば、電流又は電圧）が検出される時間と、入力信号の異なるものの関連する電気特性（例えば、電圧又は電流）を新しいレベルに操作する時間との間の遅延時間が生成され、これによって、生成された遅延時間に基づき、電子負荷装置中のリアクタンス成分をシミュレートする。生成された遅延時間によって信号中に位相シフトが生じるが、これは、被試験入力信号の周波数に依存する。
【００３３】
電圧と電流間の位相シフトは、９０度（完全なリアクタンス性）と０度（完全な抵抗性）の範囲（両端は除く）内である。言い換えると、被試験信号の検出及び制御で使用する回路（例えば、演算増幅回路、フィルタなど）が原因の固有（inherent：生まれつき、内在的）の小さな遅延があり、このため、負荷装置は完全な抵抗性とはならない。こうした固有の遅延は、負荷装置にわずかな量のリアクタンスを生じさせ、また、こうした固有の遅延は、回路自身を再設計又は最適化しない限り、簡単には制御又は修正ができない。
【００３４】
本発明の実施形態による負荷装置のリアクタンス制御では、固有遅延とは別に、遅延を生成し、ユーザが制御可能なこの生成遅延により、もっと著しく大きな容量性素子又は誘導性素子を負荷装置内でシミュレーションすることが可能になる。この制御可能な遅延は、シミュレートされた負荷のリアクタンス成分を調整するための可変単極又は複数極フィルタをユーザに効果的に提供するものとなる。ユーザは、負荷装置でリアクタンス成分をシミュレートするために、容量性又は誘導性フィルタの望ましい設定を選択し、待ち時間を指示し、その他の適切なパラメータを選択できる。
【００３５】
図２は、図１の電子負荷装置内の回路１１５のブロック図を示す。被試験信号を運ぶ１つ以上の入力ライン１２５及び１３０は、１つ以上の端子２２５及び２３０に接続できる。一般に、一定又は可変電圧が端子２２５及び２３０間に印加されると、ライン１２５及び１３０を流れる電流が生じるが、これには入力信号が含まれる。電子負荷回路１１５には、被試験入力信号の電流（Ｉ）値を検出する電流調整部２１５を設けても良い。電流調整部２１５は、シャント抵抗器２３５を用いて電流（Ｉ）を測定できる。更に、電圧調整部２２０は、被試験入力信号の電圧（Ｖ）値を検出又は測定できる。電圧調整部２２０は、ライン２８０を介して電流調整部２１５と接続するようにしても良い。
【００３６】
加えて、電子負荷回路１１５は、電力消費素子２０５を有して良い。電力消費素子２０５には、例えば、スイッチド抵抗器、ＭＯＳＦＥＴ、バイポーラ・トランジスタ（ＢＪＴ）、その他の適切な電力消費回路を含むとしても良く、ライン２７５を用いて回路の他の要素と接続するようにしても良い。電力消費素子２０５は、入力信号の電流（Ｉ）又は電圧（Ｖ）の一方の特性に基づいて、電流（Ｉ）又は電圧（Ｖ）の他方の特性を調整するように構成され、これによって、定抵抗モードでは、抵抗を実質的に一定に維持できる。ここで「定抵抗」の用語は、あまり正確ではないと理解すべきである。これは、もう少し正確には、回路の固有遅延によって生じる少なくともいくらかのリアクタンス成分を有する定インピーダンスと考えるべきで、もし更に遅延が生じれば、負荷装置内にリアクタンスがシミュレートされたとも考えられる。
【００３７】
演算デバイス２１０は、電力消費素子２０５に結合される。演算デバイスは、アナログ回路要素やデジタル回路要素を含んでも良く、これらはファームウェア、ソフトウェア、これらの組合せによって制御できる。演算デバイス２１０は、例えば、マイクロプロセッサや、これに代えて、アナログ回路要素の組合せとしても良い。演算デバイス２１０は、電流調整部２１５から電流（Ｉ）情報２４５を受け、電圧調整部２２０から電圧（Ｖ）情報２５０を受ける。これら電流及び電圧情報は、演算デバイス２１０で受ける前に、１つ以上のアナログ・デジタル・コンバータ（ＡＤＣ）２４０で、デジタル化しても良い。演算デバイスは、セレクタ２６５を用いて、電流又は電圧情報を選択できる。デジタル・システムの場合では、セレクタ２６５は、例えば、スイッチ又はマルチプレクサとしても良い。アナログ・システムの場合では、セレクタ２６５は、例えば、リレーか、又はどちらの特性（電圧又は電流）が検出されたかを識別するその他のセンサとしても良い。
【００３８】
演算デバイス２１０は、リアクタンス成分シミュレーション・ロジック１２０を含む。リアクタンス成分シミュレーション・ロジック１２０は、遅延ロジック２９０を含み、これは、ユーザ・インタフェース１４０（図１参照）を介して受けた待ち時間値（Latency Value）に基いて、電力消費素子２０５で遅延を生成又は生じさせるように構成される。例えば、リアクタンス成分シミュレーション・ロジック１２０は、制御ライン２７０を用いて、入力信号の電圧が検出される時間と、電力消費素子が入力信号の電流を調整する時間との間に遅延時間を生じさせるように、電力消費素子２０５を制御するよう構成され、これによって、電子負荷装置内に誘導性成分がシミュレートされる。
【００３９】
同様に、リアクタンス成分シミュレーション・ロジック１２０は、制御ライン２７０を用いて、入力信号の電流が検出される時間と、電力消費素子が入力信号の電圧を調整する時間との間に遅延を生じさせように、電力消費素子２０５を制御するよう構成され、これによって、電子負荷装置内に容量性成分がシミュレートされる。
【００４０】
リアクタンス成分シミュレーション・ロジック１２０が、電圧（Ｖ）を検出して遅延時間に従って電流（Ｉ）を操作するか、又は、電流（Ｉ）を検出して遅延時間に従って電圧（Ｖ）を操作するか、どちらの場合であっても、ユーザは、そうした動作モードをユーザ・インタフェース１４０を介して選択できる。言い換えると、ユーザは、電子負荷装置内で誘導性成分又は容量性成分のどちらをシミュレートするかを選択できるし、また、誘導性フィルタ又は容量性フィルタの一方又は両方を適用するかを選択できる。これに代えて、リアクタンス成分シミュレーション・ロジック１２０が、誘導性成分又は容量性成分のどちら一方又は両方をシミュレートすることについて、自動的に判断するようにしても良い。
【００４１】
また、リアクタンス成分シミュレーション・ロジック１２０は、図４を参照して以下で更に説明するように、より正確な負荷内のリアクタンス成分のシミュレーションを生成するため、操作する可変量の波形を形成するための任意波形発生回路（ＡＷＧ）、指数曲線発生回路などのような波形形成ロジック２９５を含んでも良い。遅延ロジック２９０は、他の回路要素と共に、マイクロプロセッサのような遅延時間を生成するカウンタを有しても良く、これは所定数のクロック・サイクルをカウントする。被操作可変量をステップ状に変化させるやり方か、傾斜変化させるやり方のどちらであっても、遅延ロジック２９０は、被検出可変量を決定する時間と、被操作可変量が新しいレベルに調整される時間との間に遅延時間を生じさせる。
【００４２】
図３は、検出及び操作される可変量のタイミング・チャート３００を示す。本発明の一実施形態例を示すため、被検出特性３０５及び被操作特性３１０の２つの波形を示す。シミュレートされるリアクタンスが誘導性か容量性かによって、被検出可変量又は特性３０５は、電圧（Ｖ）又は電流（Ｉ）のどちらかであり、被操作可変量又は特性３１０は、他方の可変量又は特性、つまり、電流（Ｉ）又は電圧（Ｖ）である。遅延時間３１５は、ユーザ・インタフェース１４０（図１参照）を介して受けた待ち時間値に基いて、電力消費素子２０５（図２参照）で生じる。遅延時間３１５は、上述のように、検出及び操作回路が原因の小さな固有伝播遅延が加わったものである。
【００４３】
具体的には、リアクタンス成分シミュレーション・ロジック１２０は、入力信号の１つの特性が検出される時間と、電力消費素子が他の特性の調整を終える時間との間に遅延時間を生じさせるように構成され、これによって、電子負荷装置内にリアクタンス成分がシミュレートされる。被操作可変量３１０は、生成された遅延時間３１５の後、レベル３２０からレベル３２５へとステップし、容量性又は誘導性要素を近似的に生成する。
【００４４】
電圧（Ｖ）値が検出される特性の場合、所定の遅延時間３１５の後、電力消費素子を用いて入力信号の電流（Ｉ）を第１電流値３２０から第２電流値３２５へと調整でき、これによって、電子負荷装置に誘導性成分が近似的にシミュレートされる。これに代えて、電流（Ｉ）値が検出される特性の場合、所定の遅延時間３１５の後、電力消費素子を用いて入力信号の電圧（Ｖ）を第１電圧値３２０から第２電圧値３２５へと調整でき、これによって、電子負荷装置内に容量性成分が近似的にシミュレートされる。
【００４５】
図４は、本発明の実施形態の別の例による可変量の操作のタイミング・チャート４００を示す。このやり方では、電子負荷装置内におけるリアクタンス成分の振る舞いが、より正確にシミュレートされる。タイミング・チャート４００には、時間を表す水平軸４２０と、垂直軸４２５とがあり、垂直軸４２５は、電圧（Ｖ）又は電流（Ｉ）のどちらが被操作可変量であるかに応じて、電圧（Ｖ）又は電流（Ｉ）のどちらかを表す。
【００４６】
どちらの場合でも、被操作可変量の形状は、４１５で示すように、指数関数的に傾斜のあるものにできる。言い換えると、被操作可変量の波形は、電子負荷装置内でリアクタンス成分をより正確に表現又はシミュレーションするように、時間に対して形成されても良い。波形の形成は、例えば、波形形成ロジック２９５（図２参照）か、他の適切な波形発生ロジックを用いて行っても良い。曲線は、本質的に指数関数的である必要はないと理解すべきであるが、好ましい実施形態では、指数関数のような曲線とするのが良い。
【００４７】
検出及び操作回路が原因の小さい固有遅延時間は４１０で表され、４１０と４３０の間の追加の波形形成は、小さい固有遅延時間４１０の後の追加の生成遅延時間の過程中に生じる。一般に、小さい固有遅延時間は、ナノ秒かマイクロ秒のオーダーであり、４１０及び４３０間の生成遅延時間は、数ナノ秒、数マイクロ秒、数ミリ秒、更には秒単位まで、任意であり得る。
【００４８】
例えば、１ファラッドのコンデンサのような大きなコンデンサのリアクタンス成分をシミュレートしたいなら、４１０及び４３０間の生成遅延時間は、マイクロ・ファラッドのコンデンサのような、もっと小さいコンデンサに関する生成遅延時間に比較して、より長くなる。誘導性成分のシミュレーションでは、４１０及び４３０間の生成遅延時間は、より大きなインダクタ（inductor：誘導子）のリアクタンス成分をシミュレーションするほど、長くなり、より小さなインダクタのリアクタンス成分をシミュレーションするほど、短くなる。もっと極端に大きなもので、１００ファラッドのスーパー・コンデンサのような大変大きなリアクタンス成分でもシミュレーションできる。実際、シミュレートする成分の大きさに上限はなく、それに応じて生成遅延時間を長くすれば良いだけである。下限については、上述した小さな固有遅延時間によって制限される。
【００４９】
生成遅延時間は、図２の遅延ロジック２９０を用いて生成できる。波形形成ロジック２９５及び遅延ロジック２９０は、協力して動作し、傾斜のある曲線を生成することが理解できよう。もし入力信号にステップ状の信号変化があると、点４０５と時間４１０の間に被操作可変量に対して仮想的には瞬間応答があると思われるが、しかし、その応答は、曲線４１５に沿ってシミュレートされた容量性又は誘導性の効果によって、抑制されてしまうだろう。図４は、点４０５と時間４１０の間の被操作可変量について、初期調整状態を示しているが、実施形態によっては、波形形成ロジック２９５に従って、４１０及び４３０間の生成遅延時間中も含め、被操作可変量を全体に渡って調整しても良い。
【００５０】
電圧（Ｖ）値が被検出特性である場合、言い換えると、誘導性フィルタを入力信号に適用する場合では、電流（Ｉ）が図４の垂直軸に対応する被操作可変量である。このような場合、電力消費素子２０５及び波形形成ロジック２９５を用いて、所定遅延時間（例えば、時点４３０と４１０の間）中に、入力信号の電流（Ｉ）値が、第１電流値（例えば、４３５）から第２電流値（例えば、４４０）へと調整されて波形が形成され、これによって、電子負荷装置内に誘導性成分がシミュレートされる。
【００５１】
電流（Ｉ）値が被検出特性である場合、言い換えると、容量性フィルタを入力信号に適用する場合では、電圧（Ｖ）が図４の垂直軸に対応する被操作可変量である。このような場合、電力消費素子２０５及び波形形成ロジック２９５を用いて、所定遅延時間（例えば、時点４３０と４１０の間）中に、入力信号の電圧（Ｖ）値が、第１電圧値（例えば、４３５）から第２電圧値（例えば、４４０）へと調整されて波形が形成され、これによって、電子負荷装置内に容量性成分がシミュレートされる。
【００５２】
図５は、本発明の実施形態の例による電子負荷装置に可変リアクタンス負荷機能を与える技術の例のフローチャート５００を示す。この技術は、ステップ５０５で始まるが、ここでは、ユーザ・インタフェースを介して、エンジニア、技術者その他の電子負荷装置のユーザから待ち時間値を受ける。ステップ５１０では、リアクタンス成分のシミュレーションは、誘導性成分をエミュレートするのか、容量性成分をエミュレートするのかを判断する。この判断は、ユーザ・インタフェースを介して、ユーザから選択を受けることによって行ってもよい。これに代えて、この判断を、電子負荷装置の演算デバイスが自動で行うようにしても良い。
【００５３】
シミュレートされるリアクタンス成分が誘導性の場合、フローはパス５１５に沿ってステップ５２５に進み、入力信号の電圧が検出又は測定される。その後、フローはステップ５３０に進み、待ち時間値に基いて電力消費素子で遅延を生じさせ、電流値を異なるレベルに操作する。このようして、誘導性要素を近似的にシミュレートできる。加えて、ステップ５３５では、誘導性要素をより正確にシミュレートするために、電流波形を制御又は波形形成しても良い。
【００５４】
一方、シミュレートされるリアクタンス成分が容量性の場合、フローはパス５２０に沿ってステップ５４０に進み、入力信号の電流が検出又は測定される。その後、フローはステップ５４５に進み、待ち時間値に基いて電力消費素子で遅延を生じさせ、電圧値を異なるレベルに操作する。このようして、容量性要素を近似的にシミュレートできる。加えて、ステップ５５０では、容量性要素をより正確にシミュレートするために、電圧波形を制御又は波形形成しても良い。
【００５５】
具体的な実施形態を説明してきたが、本発明の原理は、これら実施形態に限定されないことが理解できるであろう。例えば、波形形成ロジック２９５は、複数のパラメータやシミュレートされる事象に従って波形を制御しても良い。もしユーザが携帯電話端末を試験するときに、電子負荷装置で周期的なチャープ（chirp）を生成したいなら、そうした性質は、演算デバイス２１０の回路要素を用いて生成できる。疑似ランダム・パルス発生装置を入力信号中にパルスを生成するに用いても良い。
【００５６】
実施形態には、コンピュータ実行可能な命令を蓄積する１つ以上の有形なコンピュータ読み出し可能メディアを含めても良く、上記命令は、プロセッサで実行したときに、本願で説明した方法を実行するように動作する。この他、当業者であれば、本発明の原理を離れることなく、種々の変更が可能であろう。
【符号の説明】
【００５７】
１０５  ＤＵＴ（被試験デバイス）
１１０  電子負荷装置
１１５  電子負荷回路
１２０  リアクタンス成分シミュレーション・ロジック
１２５  第１入力ライン
１３０  第２入力ライン
１４０  ユーザ・インタフェース
１４５  直流電源
１５０  交流電源
２０５  電力消費素子
２１０  演算デバイス
２２５  第１入力端子
２３０  第２入力端子
２３５  シャント抵抗器
２４０  ＡＤＣ
２４５  電流（Ｉ）情報
２５０  電圧（Ｖ）情報
２６５  セレクタ
２７０  制御ライン
２８０  ライン
２９０  遅延ロジック
２９５  波形形成ロジック
３１５  遅延時間
【図１】
2013036998.tif 000003
【図２】
2013036998.tif 000004
【図３】
2013036998.tif 000005
【図４】
2013036998.tif 000006
【図５】
2013036998.tif 000007